(57)【要約】【課題】自動販売機、両替機、パチンコ玉などの遊技媒体貸出機等に使用される紙幣収納装置であって、狭隘なスペースに設置することができるように小型化を実現し、しかも収納する紙幣に折れやヨレ等があっても紙幣詰まりを起すことなく円滑且つ確実に収納することができる紙幣収納装置を提供する。【解決手段】搬送される紙幣を集積状態で収納する紙幣収納装置において、紙幣収納装置には、湾曲形状に形成した紙幣待機部と、紙幣待機部に対向し、内部に集積された紙幣を紙幣待機部側へ押圧する押え板を備えた湾曲形状の紙幣収納部とを備え、紙幣待機部の両側には、搬送されてくる紙幣の両端を保持する通路部と、紙幣収納部に集積された紙幣を押え板とで挟持する押上げ部とを備えた紙幣ガイドが設けられ、紙幣ガイドは、紙幣待機部の形状に合わせて湾曲形状と成し、紙幣ガイドの可動動作により、紙幣待機部に搬送された紙幣を紙幣収納部に湾曲状態で収納する。【選択図】図２
2010204893.tif 000002
【特許請求の範囲】
【請求項１】
搬送される紙幣を集積状態で収納する紙幣収納装置において、
前記紙幣収納装置には、
湾曲形状に形成した紙幣待機部と、
前記紙幣待機部に対向し、内部に集積された紙幣を前記紙幣待機部側へ押圧する押え板を備えた湾曲形状の紙幣収納部と、を備え、
前記紙幣待機部の両側には、
搬送されてくる紙幣の両端を保持する通路部と、前記紙幣収納部に集積された紙幣を前記押え板とで挟持する押上げ部と、を備えた紙幣ガイドが設けられ、
前記紙幣ガイドは、前記紙幣待機部の形状に合わせて湾曲形状と成し、
前記紙幣ガイドの可動動作により、
前記紙幣待機部に搬送された紙幣を前記紙幣収納部に湾曲状態で収納するようにしたことを特徴とする紙幣収納装置。
【請求項２】
前記紙幣待機部に搬送された紙幣を集積する際、
前記紙幣ガイドは、
前記通路部にて保持された紙幣に対し非保持状態となるよう左右に開く方向に移動し、
併せて、非保持状態となった紙幣を前記押上げ部と前記押え板とで挟持すると共に、
紙幣収納部内へ集積状態で収納することを特教とする請求項１記載の紙幣収納装置。
【請求項３】
紙幣待機部の両側に設けた一対の紙幣ガイドは夫々対称的に可動可能であり、
搬送された紙幣の両端が前記紙幣ガイドの通路部に保持された状態から非保持状態となるよう左右に開く方向に移動する動作と、
左右に開く方向に移動した前記紙幣ガイドを紙幣収納部の対向側に移動する動作と、
前記紙幣収納部の対向側に移動した前記紙幣ガイドが紙幣収納部側に移動して非保持状態の紙幣の両端を前記紙幣ガイドの押上げ部と押え板とで挟持する動作と、
前記押上げ部と前記押え板とで挟持された紙幣を前記紙幣収納部へ移動すると共に、搬送されてくる紙幣を前記通路部で受け入れる状態と成す動作と、
を順次経ることによって、
前記紙幣待機部に搬送された紙幣を前記紙幣収納部へ集積状態で収納するようにしたことを特徴とする請求項１又は２記載の紙幣収納装置。
【発明の詳細な説明】
【技術分野】
【０００１】
本発明は、自動販売機、両替機、パチンコ玉などの遊技媒体貸出機等に使用する紙幣収納装置に関する。
【背景技術】
【０００２】
従来、例えば、自動販売機、両替機、パチンコ玉などの遊技媒体貸出機等に使用される紙幣収納装置は、非常に狭隘なスペースに設置されるため、装置全体の小型化が要求されるものであった。
【０００３】
そこで、このような紙幣収納装置の小型化を課題とした従来例として特許文献１を参照する。この特許文献１に記載されている「紙幣識別装置」は、紙幣挿入口から挿入された紙幣を装置本体内部へ搬送する紙幣搬送部と、搬送された紙幣の正偽を判別する紙幣判別部と、搬送された紙幣を紙幣収納ボックス内に押し込んで積載収容する押圧手段を有する紙幣収納部とを備えた構造を有する。
【０００４】
このような引用文献１の構造における紙幣収納部は、紙幣収納ボックスの上方に設けられたガイド部材の上面とリフトテーブルとの間に紙幣を搬送し、該紙幣を押圧手段によりガイド部材の下面側へ押込むことによって、ガイド部材の下面とスタッカープレートとの間に押圧挟持し、紙幣収納ボックス内へ収納した状態とするようにしている。
【０００５】
従って、引用文献１の構造は、上記のように、ガイド部材の下面とスタッカープレートとの間に紙幣を長手方向に延ばした状態で収納するため、紙幣収納部を含めた紙幣識別装置の全長は少なくとも紙幣の全長となり、それ以上の小型化が困難であるという不都合があった。
【０００６】
また、上記のように、紙幣を押圧手段によって下方の紙幣収納ボックス内へ押込む構造とされているため、紙幣を下方へ押込む際、紙幣に負荷がかかり、例えば、紙幣に折れやヨレ等がある場合、収納時に紙幣詰まりを生じるおそれがあった。
【先行技術文献】
【特許文献】
【０００７】
【特許文献１】特開平６−１５０１０６号公報
【発明の概要】
【発明が解決しようとする課題】
【０００８】
本発明は、上記のような問題点を解消するためになされたもので、自動販売機、両替機、パチンコ玉などの遊技媒体貸出機等に使用される紙幣収納装置であって、狭隘なスペースに設置することができるように小型化を実現し、しかも収納する紙幣に折れやヨレ等があっても紙幣詰まりを起すことなく円滑且つ確実に収納することができる紙幣収納装置を提供することを目的とする。
【課題を解決するための手段】
【０００９】
上記の問題を解決するために、本発明における請求項１の紙幣収納装置は、搬送される紙幣を集積状態で収納する紙幣収納装置において、前記紙幣収納装置には、湾曲形状に形成した紙幣待機部と、前記紙幣待機部に対向し、内部に集積された紙幣を前記紙幣待機部側へ押圧する押え板を備えた湾曲形状の紙幣収納部と、を備え、前記紙幣待機部の両側には、搬送されてくる紙幣の両端を保持する通路部と、前記紙幣収納部に集積された紙幣を前記押え板とで挟持する押上げ部と、を備えた紙幣ガイドが設けられ、前記紙幣ガイドは、前記紙幣待機部の形状に合わせて湾曲形状と成し、前記紙幣ガイドの可動動作により、前記紙幣待機部に搬送された紙幣を前記紙幣収納部に湾曲状態で収納するようにしたことを特徴とする。
【００１０】
また、本発明における請求項２の紙幣収納装置は、請求項１において、前記紙幣待機部に搬送された紙幣を集積する際、前記紙幣ガイドは、前記通路部にて保持された紙幣に対し非保持状態となるよう左右に開く方向に移動し、併せて、非保持状態となった紙幣を前記押上げ部と前記押え板とで挟持すると共に、紙幣収納部内へ集積状態で収納することを特教とする。
【００１１】
また、本発明における請求項３の紙幣収納装置は、請求項１又は２において、紙幣待機部の両側に設けた一対の紙幣ガイドは夫々対称的に可動可能であり、搬送された紙幣の両端が前記紙幣ガイドの通路部に保持された状態から非保持状態となるよう左右に開く方向に移動する動作と、左右に開く方向に移動した前記紙幣ガイドを紙幣収納部の対向側に移動する動作と、前記紙幣収納部の対向側に移動した前記紙幣ガイドが紙幣収納部側に移動して非保持状態の紙幣の両端を前記紙幣ガイドの押上げ部と押え板とで挟持する動作と、前記押上げ部と前記押え板とで挟持された紙幣を前記紙幣収納部へ移動すると共に、搬送されてくる紙幣を前記通路部で受け入れる状態と成す動作と、を順次経ることによって、前記紙幣待機部に搬送された紙幣を前記紙幣収納部へ集積状態で収納するようにしたことを特徴とする。
【発明の効果】
【００１２】
本発明において、紙幣待機部、及び紙幣収納部を湾曲形状に形成し、且つ、紙幣ガイドを前記紙幣待機部の形状に合わせて湾曲形状と成すことにより、紙幣待機部に搬送された紙幣は前記紙幣ガイドの可動動作により紙幣収納部に湾曲状態で収納されるため、紙幣待機部、及び紙幣収納部の全長を短くすることが可能であり、紙幣収納装置自体を小型化することが可能である。
【００１３】
また、本発明の紙幣収納装置は、紙幣通路の紙幣待機部に搬送された紙幣の両端を、紙幣待機部の両側に設けた紙幣ガイドの通路部によって保持し、前記通路部にて保持された紙幣に対し非保持状態となるよう左右に開く方向に移動するようにしているため、紙幣待機部に搬送された紙幣に対して負荷をかけずに、紙幣詰まりを生じることなく紙幣を紙幣収納部側へ移送することが可能である。
【００１４】
さらに、紙幣収納部側へ収納された紙幣は、紙幣収納部内の押え板と紙幣ガイドの押上げ部とで挟持された状態と成るため、例えば、紙幣の折れやヨレ等があったとしても、紙幣詰まりを起すことなく、紙幣収納部内に紙幣を順次集積状態で収納することが可能となる。
【図面の簡単な説明】
【００１５】
【図１】本発明の実施例における紙幣収納装置の筐体を示す全体斜視図である。
【図２】本発明の実施例における紙幣収納装置の内部構造を示すものであり、図１のＡ-Ａ矢示線の断面位置に相当する断面図である。
【図３】本発明の実施例における紙幣収納装置の内部構造を示す斜視図である。
【図４】(ａ)は図３に示す内部構造からガイド本体を取り除いた状態を示す斜視図であり、（ｂ）は図４(ａ)の矢示Ｃで示す２点鎖線内の部分拡大図である。
【図５】(ａ)は片側の紙幣ガイドの全体斜視図であり、（ｂ）は片側の紙幣ガイドの端部を示す正面図であり、(ｃ)は片側の紙幣ガイドの側面図である。
【図６】(ａ)〜(ｅ)は本発明の実施例における紙幣収納装置の動作を示す図であり、図１のＢ-Ｂ矢示線の断面位置に相当する断面図である。
【図７】本発明による他の実施例の内部構造を示す断面図である。
【発明を実施するための形態】
【実施例】
【００１６】
以下、本発明の実施例について図面を参照しながら説明する。
【００１７】
図１は本発明を適用した紙幣収納装置１の全体斜視図である。この紙幣収納装置１は、例えば、パチンコ玉などの遊技媒体貸出機等に適用されるものであるが、他に自動販売機、両替機等にも適用可能である。
【００１８】
この紙幣収納装置１の外観構造は、筐体をなす装置本体２の上部に開閉蓋３がヒンジ構造３ａによって開閉可能に設けられ、開閉蓋３の内部には紙幣収納部４が構成されている。この開閉蓋３を開けることによって紙幣収納部４内に収納された紙幣を取り出すことが可能となる。
【００１９】
また、装置本体２の前面には紙幣投入口５が設けられている。この紙幣投入口５の内幅は、紙幣を寝かせた状態で長手方向に挿入する際、紙幣の短尺幅の左右に遊びを持たせて挿通し得る幅に形成されている。また、紙幣投入口５の高さは、１枚の紙幣を緩やかに挿通し得る程度のものである。この紙幣投入口５の受け面５ａが、図２に示すように、装置本体２の内部に設けられた紙幣通路６の底面として延長され、紙幣投入口５の内幅はそのまま紙幣通路６の内幅へと連通されている。
【００２０】
図２に示すように、装置本体２内の紙幣通路６は水平部６ａを経て、装置本体２の最奥部にて上方へ湾曲状に反転されている。この湾曲状に反転した箇所を反転部７と称し、さらに紙幣通路６は反転部７から湾曲形状の紙幣待機部８へと連通されている。
【００２１】
本実施例では、上記の紙幣通路６を構成するため、装置本体２の内部に、図２又は図３に示すガイド本体９が設けられている。このガイド本体９の上面が上記の湾曲形状の紙幣待機部８を形成することとなる。即ち、湾曲形状の紙幣待機部８は、図２又は図３に示すように、紙幣通路６の反転部７（図２参照）に連通する短幅の平端部８ａからガイド本体９の略中央の頂部８ｃに向けて上り勾配８ｂを経て、さらに湾曲状をなす頂部８ｃから下り勾配８ｄを経て短幅の平坦部８ｅに到る形状とされている。
【００２２】
一方、図２に示すように、湾曲形状の紙幣待機部８の上方には紙幣収納部４が設けられている。この紙幣収納部４は上記のように開閉蓋３の内部に設けられ、紙幣収納部４の天板４ａは上記の紙幣待機部８の湾曲形状に合わせて湾曲した形状とされている。さらに、紙幣収納部４の天板４ａの両側の勾配面に対して２方向から弾性バネ１０、１０によって押え板１１が吊り下げられている。この押え板１１は、紙幣Ｂの大きさと略同様の形状を有し、上記の紙幣待機部８の湾曲形状に合わせて湾曲した形状に形成されている。
【００２３】
さらに、本実施例の紙幣通路６の略中央に沿って搬送ベルト１２が設けられている。この搬送ベルト１２は、図３に示すように、ガイド本体９の反転部７に設けられた搬送モータ１３の出力軸に搬送駆動プーリ１４が設けられ、この搬送駆動プーリ１４に１本の搬送ベルト１２が掛けられてなるものである。
【００２４】
また、搬送ベルト１２が掛けられた搬送駆動プーリ１４の反対側にはガイド本体９を挟んでベルトプーリ１５ａ、１５ｂ（図２参照）が設けられている。この搬送ベルト１２は、搬送モータ１３の駆動によって搬送駆動プーリ１４とベルトプーリ１５ａ、１５ｂに案内されて回転すると共に、図２又は図３に示す搬送ローラ１６によって案内される。
【００２５】
この搬送ローラ１６は、ガイド本体９の湾曲した頂部８ｃに穿孔部１７が設けられ、この穿孔部１７の内部に設けた大径のローラの外周を穿孔部１７から露出させてなるものであり、ガイド本体９の紙幣待機部８の頂部８ｃにおいて搬送ベルト１２の案内を行なうものである。
【００２６】
一方、図２又は図３に示すように、紙幣通路６の各所には、搬送ベルト１２に対接した状態で複数個所にテンションローラ１８ａ〜１８ｅが設けられている。即ち、図２に示すように、紙幣通路６の水平部６ａの始端付近に第１のテンションローラ１８ａが設けられ、紙幣通路６の水平部６ａの中央付近に第２のテンションローラ１８ｂが設けられ、紙幣通路６の水平部６ａの終端付近に第３のテンションローラ１８ｃが設けられている。さらに、図３に示すように、紙幣待機部８の平端部８ａと上り勾配８ｂとの境界に第４のテンションローラ１８ｄが設けられ、さらに下り勾配８ｄと平坦部８ｅとの境界に第５のテンションローラ１８ｄとが設けられている。
【００２７】
このような構成により、搬送モータ１３の駆動によって搬送ベルト１２が回転すると、図２の紙幣投入口５に投入された紙幣を搬送ベルト１２と各テンションローラ１８ａ〜１８ｅとで狭圧しながら搬送ベルト１２の移動方向に紙幣を搬送することが可能となる。
【００２８】
また、紙幣通路６には各種のセンサが設けられている。即ち、図２に示すように、紙幣投入口５の近傍に入口センサ１９ａが設けられ、このセンサ１９ａで紙幣投入口５に紙幣が投入されたことと、紙幣が通過したことを検知することができる。また、入口センサ１９ａが紙幣を検知すると、搬送ベルト１２が回転して紙幣を搬送する。
【００２９】
また、紙幣投入口５からやや内方に入った紙幣通路６の水平部６ａには紙幣識別センサ１９ｂが設けられ、このセンサ１９ｂによって紙幣投入口５から投入された紙幣の真偽を判定することが可能とされている。
【００３０】
さらに、紙幣通路６の反転部７の終端付近には紙幣通過センサ１９ｃが設けられ、反転部７を通過した紙幣が紙幣通過センサ１９ｃを通過した時点で該センサ１９ｃがＯＮになり、紙幣が紙幣通過センサ１９ｃを通り過ぎた時点で該センサ１９ｃがＯＦＦになることによって、紙幣が紙幣通路６の紙幣待機部８に到ったことを検知することが可能となる。この紙幣通過センサ１９ｃからの検知信号によって、搬送モータ１３を停止することにより、紙幣を紙幣待機部８に待機させた状態にすることが可能となる。
【００３１】
また、本実施例においては、紙幣待機部８の左右両側に紙幣の両端各部を保持する通路部２１ａ、２１ｂを備えた紙幣ガイド２０ａ、２０ｂが設けられている。この紙幣ガイド２０ａ、２０ｂは、図３に示すように、ガイド本体９の左右両側に設けられ、ガイド本体９の紙幣待機部８の湾曲形状に沿った形状に形成されている。従って、各紙幣ガイド２０ａ、２０ｂに設けられた通路部２１ａ、２１ｂもまた紙幣の送り方向に向けて紙幣待機部８の湾曲形状に沿った形状を有し、このような両側の通路部２１ａ、２１ｂが互いの凹形状を対向させた関係に構成されている。
【００３２】
夫々の紙幣ガイド２０ａ、２０ｂの上部には、後述するように紙幣の端部を押上げるための押上げ部２２ａ、２２ｂが形成されている。これらの押上げ部２２ａ、２２ｂは幅方向には平坦であるが、長手方向には紙幣待機部８の湾曲形状に沿う形状に形成されている。なお、図５(ａ)〜(ｃ)に、１個の紙幣ガイド２０ｂを図示してあるが、この紙幣ガイド２０ｂに対をなす形状で、対向する紙幣ガイド２０ａが形成されている。
【００３３】
上記のように、夫々の紙幣ガイド２０ａ、２０ｂの各端部、即ち四方の各端部は共通した構成を有するものである。従って、一箇所の端部構造について述べると、図５(ａ)、（ｂ）に示すように、紙幣ガイド２０ａの端部２３の上下の連結穴２４ａ、２４ｂには、図３又は図４（ａ）、（ｂ）に示すように、上下のカム円盤２５ａ、２５ｂの偏心軸２５ｃが回転自在に結合されると共に、夫々のカム円盤２５ａ、２５ｂの中心位置には駆動伝達プーリ２６ａ、２６ｂの中心軸２６ｃが回動自在に結合されている。
【００３４】
また、図３又は図４（ａ）、（ｂ）に示すように、下方の駆動伝達プーリ２６ｂは上方の駆動伝達プーリ２６ａの略２倍の厚さを有し、上下の駆動伝達プーリ２６ａ、２６ｂに短尺の伝達ベルト２７が掛けられたうえ、下方の駆動伝達プーリ２６ｂの外側には、後述するように、さらに別の長尺の伝達ベルト２８ａ〜２８ｄが掛けられた構成とされている。
【００３５】
図４（ａ）、（ｂ）に示すように、紙幣ガイド２０ａ、２０ｂの四方の端部において、下方の駆動伝達プーリ２６ｂ、２６ｂ…には、上記のように長尺の伝達ベルト２８ａ〜２８ｄが掛けられた構成とされている。これらの長尺の伝達ベルト２８ａ〜２８ｄのうち、一方の紙幣ガイド２０ｂの一端（図４における最左端）に設けられた下方の駆動伝達プーリ２６ｂに掛けられた長尺の伝達ベルト２８ａは、紙幣ガイド２０ａ、２０ｂ間に設けられたスタックモータ２９の駆動伝達プーリ３０に掛けられている。
【００３６】
また、図４（ａ）に示すように、スタックモータ２９のモータギア３１に第１の反転ギア３２が歯合され、この第１の反転ギア３２に長軸３４を介して同軸ギア３５が結合され、この同軸ギヤ３５に第２の反転ギア３７が歯合されている。
【００３７】
さらに、このようなモータギア３１、第１の反転ギア３２、同軸ギア３５、第２の反転ギア３７には、順次、駆動伝達プーリ３０、３３、３６、３８が結合され、夫々の駆動伝達プーリ３０、３３、３６、３８と、夫々対応する紙幣ガイド２０ａ、２０ｂの各端部２３における下方の駆動伝達プーリ２６ｂ、２６ｂ…とに長尺の伝達ベルト２８ａ〜２８ｄが掛けられた構成とされている。
【００３８】
なお、スタックモータ２９にはエンコーダ３９が設けられ、該エンコーダ３９で該スタックモータ２９の回転数を制御することによって、左右上下のカム円盤２５ａ、２５ｂの回転運動を制御すると共に、紙幣ガイド２０ａ、２０ｂの可動動作を制御するようにしている。
【００３９】
上記構成により、スタックモータ２９の駆動によって紙幣ガイド２０ａ、２０ｂがそれぞれ対称的に可動動作し、紙幣待機部８に搬送された紙幣を紙幣収納部４内に集積された状態で収納する。
【００４０】
図６（ａ）に示すように、紙幣待機部８の左右両側に設けた紙幣ガイド２０ａ、２０bは、該紙幣待機部８に搬送された1枚の紙幣bの両端各部を、該紙幣ガイド２０ａ、２０ｂの通路部２１ａ、２１ｂにて受け入れて保持する。このとき、紙幣ガイド２０ａ、２０ｂの各上部に形成された押上げ部２２ａ、２２ｂが、紙幣収納部４の内部に集積された紙幣Ｂを上方（紙幣収納部４側）に押上げている。併せて、集積された紙幣Ｂは、弾性バネ１０に吊り下げられた押え板１１に、該弾性バネ１０の弾性力によって下方（紙幣待機部８側）に押圧されている。
【００４１】
このような構成によって、紙幣収納部４内の集積された紙幣Ｂは、その両端各部を、押上げ部２２ａ、２２ｂと押え板１１とで挟持した状態に保つことができる。
【００４２】
続いて、搬送された１枚の紙幣bの両端が、通路部２１ａ、２１ｂにて保持されると、図６（ｂ）に示すように、スタックモータ２９が駆動し、左右両側の紙幣ガイド２０ａ、２０ｂは、保持された紙幣ｂが非保持状態となるように左右に開く方向へ移動する。前記紙幣ガイド２０ａ、２０ｂが移動すると、紙幣収納部４内の紙幣Ｂの両端各部は左右の押上げ部２２ａ、２２ｂの支持を失い、押え板１１が弾性バネ１０の弾性力によって紙幣Ｂを下方に押下げ、紙幣待機部８に搬送されていた１枚の紙幣ｂに重なり、集積した状態となる。
【００４３】
さらに、図６(ｃ)、（ｄ）に示すように、スタックモータ２９が駆動し、左右両側の紙幣ガイド２０ａ、２０ｂは紙幣待機部８の紙幣Ｂの両端下部側（紙幣待機部８側）に移動し、再び図６(ｅ)に示すように、紙幣ガイド２０ａ、２０ｂは上方（紙幣収納部４側）へ移動して、紙幣ガイド２０ａ、２０ｂの各上部に形成された押上げ部２２ａ、２２ｂで紙幣待機部８に集積した状態にある紙幣Ｂを紙幣収納部４内へ押上げる。
【００４４】
押上げられた紙幣Ｂを、押上げ部２２ａ、２２ｂと紙幣収納部４内の押え板１１とで挟持すると共に、左右両側の紙幣ガイド２０ａ、２０ｂの通路部２１ａ、２１ｂは夫々の凹形状を対向状態にして、紙幣待機部８に搬送される紙幣ｂ（図６（ａ）参照）の受け入れを可能とする。前述する動作を順次繰り返すことによって、紙幣通路６の紙幣待機部８に搬送された紙幣ｂを、紙幣収納部４内に湾曲状態に集積して収納することが可能である。
【００４５】
本実施例において、紙幣待機部８、及び紙幣収納部４を湾曲形状に形成し、且つ、紙
幣ガイド２０ａ、２０ｂを前記紙幣待機部８の形状に合わせて湾曲形状としたことで、紙幣待機部８に搬送された紙幣bは、前述した前記紙幣ガイド２０ａ、２０ｂの可動動作により、紙幣収納部４内に湾曲状態で収納するため、紙幣待機部８、及び紙幣収納部４の全長を短くすることが可能であり、紘幣収納装置１自体を小型化することが可能である。
【００４６】
また、紙幣待機部８、及び紙幣収納部４を湾曲形状に形成したことで、紙幣待機部８に搬送された紙幣ｂに張りを生じさせ、該紙幣ｂを湾曲状態で集積するため、紙幣bの両端を左右の押上げ部２２ａ、２２ｂで支持した状態であっても、紙幣ｂの中央が下方（紙幣待機部８側）に垂れた状態とならずに紙幣収納部４内に収納することが可能である。
【００４７】
また、通路部２１ａ、２１ｂにて保持された紙幣に対し非保持状態となるように、紙幣ガイド２０ａ、２０ｂが左右に開く方向に移動するため、紙幣待機部８に搬送された紙幣ｂに対して負荷をかけることなく、紙幣収納部４側へ移送することが可能であり、搬送された紙幣の状態が折れやヨレ等どのような状態であっても、紙幣詰まりを生じることはない。
【００４８】
さらに、紙幣収納部４側へ収納された紙幣Ｂは、紙幣収納部４内の押え板１１と紙幣ガイド２０ａ、２０ｂの押上げ部２２ａ、２２ｂとで挟持された状態と成るため、例えば、紙幣の折れやヨレ等があったとしても、紙幣詰まりを起すことなく、紙幣収納部４内に紙幣を順次集積状態で収納することが可能となる。
【００４９】
なお、本実施例においては、紙幣収納装置１の内部に紙幣識別センサ１９ｂを設けることによって搬送された紙幣の真偽を識別する機能を備えているが、本発明は、このように紙幣の識別機能を備えない紙幣収納装置、即ち単に紙幣を回収して収納する金庫のようなものにも使用することが可能である。
【００５０】
図７は本実施例の他の実施例を示す図である。この図に示すように、上記の実施例では紙幣通路６の紙幣待機部８を湾曲状に形成し、これに合わせて、紙幣収納部４の天板４ａの形状、紙幣ガイド２０ａ、２０ｂ、通路部２１ａ、２１ｂ等の形状も湾曲状に形成してあるが、これらの形状を湾曲状ではなく、図７に示すように、直線状に形成してもよい。
【００５１】
このような図７の構成により、紙幣を湾曲状に曲げて待機させ、また収納するのではなく、紙幣を真っ直ぐな状態で待機させ、収納することになるが、その他の構成、動作及び利点は上記の実施例と同様のものとなる。
【産業上の利用可能性】
【００５２】
本発明の紙幣収納装置は、自動販売機、両替機、パチンコ玉などの遊技媒体貸出機等に使用される紙幣収納装置であって、狭隘なスペースに設置することができるように小型化を実現し、しかも収納する紙幣に折れやヨレ等があっても紙幣詰まりを起すことなく円滑且つ確実に収納することができる紙幣収納装置として利用可能である。
【符号の説明】
【００５３】
１  紙幣収納装置
２  装置本体
３  開閉蓋
３ａ  ヒンジ構造
４  紙幣収納部
４ａ  天板
５  紙幣投入口
５ａ  紙幣投入口の受け面
６  紙幣通路
６ａ  水平部
７  反転部
８  紙幣待機部
８ａ  平端部
８ｂ  上り勾配
８ｃ  頂部
８ｄ  下り勾配
８ｅ  平坦部
９  ガイド本体
１０  弾性バネ
１１  押え板
１２  搬送ベルト
１３  搬送モータ
１４  搬送駆動プーリ
１５ａ、１５ｂ  ベルトプーリ
１６  搬送ローラ
１７  穿孔部
１８ａ  第１のテンションローラ
１８ｂ  第２のテンションローラ
１８ｃ  第３のテンションローラ
１８ｄ  第４のテンションローラ
１８ｅ  第５のテンションローラ
１９ａ  入口センサ
１９ｂ  紙幣識別センサ
１９ｃ  紙幣通過センサ
２０ａ、２０ｂ  紙幣ガイド
２１ａ、２１ｂ  通路部
２２ａ、２２ｂ  押上げ部
２３  紙幣ガイドの端部
２４ａ  上方の連結穴
２４ｂ  下方の連結穴
２５ａ  上方のカム円盤
２５ｂ  下方のカム円盤
２５ｃ  偏心軸
２６ａ  上方の駆動伝達プーリ
２６ｂ  下方の駆動伝達プーリ
２６ｃ  中心軸
２７  短尺の伝達ベルト
２８ａ、２８ｂ、２８ｃ、２８ｄ  長尺の伝達ベルト
２９  スタックモータ
３０  駆動伝達プーリ
３１  モータギア
３２  第１の反転ギア
３３  駆動伝達プーリ
３４  長軸
３５  同軸ギア
３６  駆動伝達プーリ
３７  第２の反転ギア
３８  駆動伝達プーリ
３９  エンコーダ
Ｂ  積載された紙幣
ｂ  １枚の紙幣
【図１】
2010204893.tif 000003
【図２】
2010204893.tif 000004
【図３】
2010204893.tif 000005
【図４】
2010204893.tif 000006
【図５】
2010204893.tif 000007
【図６】
2010204893.tif 000008
【図７】
2010204893.tif 000009